(57)【要約】      （修正有）【課題】利用者の日焼けを防止すること。【解決手段】ＣＰＵ１０８は、日焼け防止対策時間の経過後に日焼けの予防処置を促す報知を行い、日焼けの予防処置を促す報知からケア時間の経過後に、ケア時間が経過した旨の報知を行う制御をする。これにより、時計装置１は、予め日焼け止めクリームや紫外線の透過量を減らした化粧品が剥落すると予測される時間を設定し、その時間（日焼け防止対策時間）が経過した場合に報知し、ケア時間の経過後にケア時間経過の旨の報知を行う。【選択図】図２
2012078341.tif 000002
【特許請求の範囲】
【請求項１】
第１の時間の経過後に日焼けの予防処置を促す報知を行い、前記報知から第２の時間の経過後に、第２の時間が経過した旨の報知を行う制御をする報知制御部を備えることを特徴とする報知制御装置。
【請求項２】
前記報知制御部は、前記第２の時間の経過前に前記日焼けの予防処置が終わったことを示す入力があった場合には、前記第１の時間の計時を開始することを特徴とする報知制御装置。
【請求項３】
前記第１の時間と前記第２の時間の合計時間は、予め定めた日焼けの予防処置の効果が失われる時間であって、前記第２の時間は、日焼けの予防処置に費やされる時間とすることを特徴とする請求項１又は２に記載の報知制御装置。
【請求項４】
日時計測部が示す時刻が予め定めた範囲内にあるときに紫外線強度の測定をさせる紫外線検出制御部を備え、前記報知制御部は、前記紫外線検出制御部が測定させた強度が閾値以上である場合に、前記日焼けの予防処置を促す報知を行う制御をすることを特徴とする請求項１又は２に記載の報知制御装置。
【請求項５】
前記予め定めた範囲内の時刻は、利用者が外出する時刻であることを特徴とする請求項４に記載の報知制御装置。
【請求項６】
前記報知制御部は指定された開始時刻に前記日焼けの予防処置を促す報知を行う制御を行い、前記報知後に前記第１の時間の計測を開始することを特徴とする請求項１から５のいずれか一項に記載の報知制御装置。
【請求項７】
日が当たる場所に出たことを示す第１の入力と、日が当たらない場所に入ったことを示す第２の入力があったことを受け付ける入力制御部を備え、
前記報知制御部は、前記入力制御部が前記第１の入力を受け付けたときに、前記入力制御部が前記第２の入力を受けたときからの経過時間が前記第１の時間以上である場合に、前記日焼けの予防処置を促す報知を行う制御を行うことを特徴とする請求項１から５のいずれかに一項に記載の報知制御装置。
【請求項８】
前記第１の時間の経過後に紫外線強度の測定をさせる紫外線検出制御部を備え、前記報知制御部は、前記紫外線検出制御部が測定した紫外線強度に基づいて前記日焼けの予防処置を促す報知を行う形態を判断することを特徴とする請求項１又は２に記載の報知制御装置。
【請求項９】
前記第１の時間が経過するまでの紫外線強度を積分した紫外線積算量の計測をさせる紫外線検出制御部を備え、前記報知制御部は、前記紫外線検出制御部が測定した紫外線積分量に基づいて前記日焼けの予防処置を促す報知を行う形態を判断することを特徴とする請求項１又は２に記載の報知制御装置。
【請求項１０】
前記第１の時間が経過するまでの紫外線強度を積分した紫外線積算量の計測をさせる紫外線検出制御部を備え、前記報知制御部は、前記紫外線検出制御部が測定した紫外線積分量に基づいて前記第１の時間を定めることを特徴とする請求項１又は２に記載の報知制御装置。
【請求項１１】
紫外線強度の測定をさせる紫外線検出制御部と、前記紫外線検出制御部が測定させた強度が閾値以上である場合に利用者の活動状態を検出させる利用者検出制御部とを備え、前記報知制御部は、前記検出された活動状態に基づいて、前記第１の時間を短縮することを特徴とする請求項１又は２に記載の報知制御装置。
【請求項１２】
前記請求項１から１１のいずれか一項に記載の報知制御装置を備える電子機器。
【請求項１３】
前記請求項１から１１のいずれか一項に記載の報知制御装置を備える時計装置。
【請求項１４】
報知制御装置のコンピュータに、第１の時間の経過後に日焼けの予防処置を促す報知を行い、前記報知から第２の時間の経過後に、再度前記第２の時間が経過した旨の報知を行う制御をする手順を実行させるためのプログラム。
【発明の詳細な説明】
【技術分野】
【０００１】
本発明は、報知制御装置、電子機器、時計装置、及びプログラムに関する。
【背景技術】
【０００２】
近年、紫外線による日焼け予防への関心が高まっており、日焼けの予防対策を支援する装置が知られている。
特許文献１には、紫外線量を測定し、外出や海水浴など、紫外線の照射を受ける環境の下で日焼けが起きる限界時間を予め表示する装置が記載されている。
特許文献２には、紫外線センサーを備えた腕時計であって、現在又は所定時間後の紫外線量を表示し、屋内、屋外のモード選択スイッチ、天候選択スイッチの選択入力に基づいて日焼け現象を予測する装置が記載されている。
【先行技術文献】
【特許文献】
【０００３】
【特許文献１】特開平５−１４９７８５号公報
【特許文献２】特開２００６−０７１５８２号公報
【発明の概要】
【発明が解決しようとする課題】
【０００４】
ところで、特許文献１、２に記載の従来技術では、利用者が照射された紫外線の量に応じて日焼けの心配が生じる時間（限界時間）を算出している。しかしながら、日焼け止めクリームはその塗布の後、発汗等により剥落し徐々にその効果が弱まっていくものである。よって、従来技術では日焼け止めの効果が弱くなる時間を正確に算出できず、利用者が日焼けしてしまう場合があるという欠点があった。
【０００５】
そこで、本発明は上記事情を鑑みてなされたものであり、利用者の日焼けを防止できる報知制御装置、及びプログラムを提供することを目的とする。
【課題を解決するための手段】
【０００６】
（１）本発明は、上記の課題を解決するためになされたものであり、本発明は、第１の時間の経過後に日焼けの予防処置を促す報知を行い、前記報知から第２の時間の経過後に、第２の時間が経過した旨の報知を行う制御をする報知制御部を備えることを特徴とする報知制御装置である。
【０００７】
（２）また、本発明は、前記第２の時間の経過前に前記日焼けの予防処置が終わったことを示す入力があった場合には、前記第１の時間の計時を開始することを特徴とする報知制御装置である。
【０００８】
（３）前記第１の時間と前記第２の時間の合計時間は、予め定めた日焼けの予防処置の効果が失われる時間であって、前記第２の時間は、日焼けの予防処置に費やされる時間とすることを特徴とする報知制御装置である。
【０００９】
（４）また、本発明は、日時計測部が示す時刻が予め定めた範囲内にあるときに紫外線強度の測定をさせる紫外線検出制御部を備え、前記報知制御部は、前記紫外線検出制御部が測定させた強度が閾値以上である場合に、前記日焼けの予防処置を促す報知を行う制御をすることを特徴とする報知制御装置である。
【００１０】
（５）また、本発明は、前記予め定めた範囲内の時刻は、外出する時刻であることを特徴とする報知制御装置である。
【００１１】
（６）また、本発明は、前記報知制御部は指定された開始時刻に前記日焼けの予防処置を促す報知を行い、前記報知後に前記第１の時間の計測を開始することを特徴とする報知制御装置である。
【００１２】
（７）また、本発明は、日が当たる場所に出たことを示す第１の入力と、日が当たらない場所に入ったことを示す第２の入力があったことを受け付ける入力制御部を備え、
前記報知制御部は、前記入力制御部が前記第１の入力を受け付けたときに、前記入力制御部が前記第２の入力を受けたときからの経過時間が前記第１の時間以上である場合に、前記日焼けの予防処置を促す報知を行うことを特徴とする報知制御装置である。
【００１３】
（８）また、本発明は、前記第１の時間の経過後に紫外線強度の測定をさせる紫外線検出制御部を備え、前記報知制御部は、前記紫外線検出制御部が測定した紫外線強度に基づいて前記日焼けの予防処置を促す報知を行う形態を判断することを特徴とする報知制御装置である。
【００１４】
（９）また、本発明は、前記第１の時間が経過するまでの紫外線強度を積分した紫外線積算量の計測をさせる紫外線検出制御部を備え、前記報知制御部は、前記紫外線検出制御部が測定した紫外線積分量に基づいて前記日焼けの予防処置を促す報知を行う形態を判断することを特徴とする報知制御装置である。
【００１５】
（１０）また、本発明は、前記第１の時間が経過するまでの紫外線強度を積分した紫外線積算量の計測をさせる紫外線検出制御部を備え、前記報知制御部は、前記紫外線検出制御部が測定した紫外線積分量に基づいて前記第１の時間を定めることを特徴とする報知制御装置である。
【００１６】
（１１）また、本発明は、紫外線強度の測定をさせる紫外線検出制御部と、前記紫外線検出制御部が測定させた強度が閾値以上である場合に利用者の活動状態を検出させる利用者検出制御部とを備え、前記報知制御部は、前記検出された活動状態に基づいて、前記第１の時間を短縮することを特徴とする報知制御装置である。
【００１７】
（１２）また、本発明は、上記の報知制御装置を備える電子機器である。なお、前記電子機器は歩数計でもよい。
【００１８】
（１３）また、本発明は、上記の報知制御装置を備える時計機器である。
【００１９】
（１４）また、本発明は、上記報知制御装置のコンピュータに、第１の時間の経過後に日焼けの予防処置を促す報知を行い、前記報知から第２の時間の経過後に、再度前記第２の時間の経過の旨の報知を行う制御をする手順を実行させるためのプログラムである。
【発明の効果】
【００２０】
本発明によれば、利用者の日焼けを防止できる。
【図面の簡単な説明】
【００２１】
【図１】本発明の実施形態における時計装置の外観を示す外観図である。
【図２】本発明の実施形態における時計装置の構成を示す概略ブロック図である。
【図３】本発明の第１の実施形態における報知制御装置の動作を示すフローチャートである。
【図４】本発明の第２の実施形態におけるＣＰＵの動作の一例を示すフローチャートである。
【図５】本発明の第３の実施形態におけるＣＰＵの動作の一例を示すフローチャートである。
【図６】本発明の第４の実施形態におけるＣＰＵの動作の一例を示すフローチャートである。
【図７】本実施形態におけるＣＰＵの屋内処理の動作の一例を示すフローチャートである。
【図８】本実施形態におけるＣＰＵの屋外処理の動作の一例を示すフローチャートである。
【図９】本発明の１〜４の実施形態における、日焼け防止対策時間の算出のためのデータの一例を示すテーブルを示す図である。
【図１０】本発明の第５の実施形態における時計装置の動作の一例を示すフローチャートである。
【図１１】本実施形態における時計装置の動作の他の例を示すフローチャートである。
【図１２】本実施形態における時計装置の動作の他の例を示すフローチャートである。
【図１３】本発明の第６の実施形態における時計装置の構成を示す概略ブロック図である。
【図１４】本実施形態におけるＣＰＵの動作の一例を示すフローチャートである。
【発明を実施するための形態】
【００２２】
（第１の実施形態）
以下、本発明の第１の実施形態について、図面を参照しながら説明する。
図１は、本実施形態における時計装置１の外観を示した外観図である。図示する例では、時計装置１は、紫外線センサー１０１、スイッチ１０３１〜１０３４、及びディスプレイ１１１を備える。
【００２３】
紫外線センサー１０１は、ディスプレイ１１１の上部に設けられ、受光面に入射した紫外光の強度を測定する。ディスプレイ１１１は、液晶ディスプレイやデジタル表示板などであり、利用者に報知すべき情報を表示する。
【００２４】
スイッチ１０３１〜１０３４は、本体の側面部に設けられ、押下されることによって、利用者からの入力を受付ける。具体的には、スイッチ１０３１は、電源のＯＮ、ＯＦＦの選択に用いられる。スイッチ１０３２は、報知に対する利用者からの応答の入力に用いられる。スイッチ１０３３は、屋内、屋外の状態の選択に用いられる。スイッチ１０３４は、利用者に時刻を更新させる状態（起動時刻更新モードという）にするために用いられる。起動時刻更新モードにおいて、スイッチ１０３１〜１０３４は起動時刻を更新するための入力に用いられる。
【００２５】
なお、センサー１０７やスイッチ１０３１〜１０３４等は、時計装置１上の他の位置に設けられてもよい。また、紫外線センサー１０１は時計装置１に複数設けられてもよい。また、時計装置１は、音声を出力するスピーカーや、光を発する発光部を備えてもよい。
【００２６】
図２は、本実施形態における時計装置１の構成を示したブロック図である。図示する例では、時計装置１は、紫外線センサー１０１、Ａ／Ｄ変換部１０２、入力部１０３、日時計測部１０４、タイマー１０５、発振回路１０６、分周回路１０７、ＣＰＵ１０８、読み出し専用メモリ（ＲＯＭ）１０９、ランダムアクセスメモリ（ＲＡＭ）１１０、報知部１１１、及び電池１１２を含んで備える。
【００２７】
紫外線センサー１０１は、受光面に入射した紫外光の強度を測定し、測定した強度を示す信号をＡ／Ｄ変換部１０２に出力する。
Ａ／Ｄ変換部１０２は紫外線センサー１０１から入力された信号をアナログ−デジタル変換する。Ａ／Ｄ変換部１０２は、変換後のデジタル信号をＣＰＵ１０８に出力する。
【００２８】
入力部１０３は、図１のスイッチ１０３１〜１０３４であり、外部からの入力を受け付ける。入力部１０３は、入力に応じた信号をＣＰＵ１０８に出力する。例えば、スイッチ１０３２が押下されると入力部１０３は、日焼け予防処理が終了したことを示す信号（ケア終了信号とよぶ）をＣＰＵ１０８に出力する。
日時計測部１０４は日付、及び時刻を計測し、計測した日付を示す日付情報、及び、時刻を示す時刻情報をＣＰＵ１０８に出力する。
【００２９】
タイマー１０５は、ＣＰＵ１０８から、計時する時間（タイマー時間という）の入力を受け、タイマー時間を設定される。タイマー１０５は、ＣＰＵ１０８からスタートトリガ信号が入力を受けるとタイマー時間の計測を始め、そのタイマー時間が経過したか否かを判定する。判定の結果、タイマー時間が経過したと判定した場合に、タイマー１０５は、ＣＰＵ１０８にハイ（Ｈ）を示す信号を出力する。一方、タイマー時間が経過していないと判定した場合に、タイマー１０５は、ＣＰＵ１０８にロー（Ｌ）を示す信号を出力する。
【００３０】
発振回路１０６は、水晶振動子等の発振子が出力する信号を取得し、分周回路１０７に出力する。
分周回路１０７は、ＣＰＵ１０８が動作するクロック周波数の範囲に適合するように予め値を設定されており、発振回路１０６からの入力を用いて分周（周波数の低減）されたクロック信号を発生する。具体的には、分周回路１０７は、発振回路１０６から入力を受けた発振信号をカウンタ回路で計数し、その計数された値が予め設定した値に達したときに、デジタルパルスをＣＰＵ１０８に出力する。なお、分周回路１０７は、予め設定された値を変更することによってデジタルパルスの周期（クロック周期）を変化させることができる。
【００３１】
ＣＰＵ１０８は、分周回路１０７が出力したクロック信号に同期して演算処理を行う。例えば、ＣＰＵ１０８は、紫外線センサー１０１及びＡ／Ｄ変換部１０２の起動を行う。また、ＣＰＵ１０８は、入力部１０３、紫外線センサー１０１、日時計測部１０４、ＲＯＭ１０９又はＲＡＭ１１０等からの情報に基づいて、第１の時間（日焼け防止対策時間という）、第２の時間（ケア時間という）、第３の時間（再警告時間という）をタイマー１０５に設定し、計測させる。また、ＣＰＵ１０８は、タイマー１０５に計測させた時間の経過後、日焼け予防処理を促す旨、ケア時間が経過した旨、及び再警告時間が経過した旨の報知等を報知部１１１に出力させる。
【００３２】
ＲＯＭ１０９は、ＣＰＵ１０８が使用するプログラムやデータを保存する。ＲＯＭ１０９は、ＣＰＵ１０８からの要求に応じて、データをＣＰＵ１０８に出力する。ＲＡＭ１１０は、ＣＰＵ１０８から入力されたデータを一時保存する。ＲＡＭ１１０は、ＣＰＵ１０８からの要求に応じて、ランダムアクセスメモリ１１０に保存されたデータをＣＰＵ１０８に出力する。
【００３３】
報知部１１１（図１の例ではディスプレイ１１１）は、ＣＰＵ１０８から利用者に報知すべき情報を入力され、その利用者に報知すべき情報を表示することにより報知する。なお、報知部１１１は、発光部やスピーカーであってもよく、その場合は、光や音を出力する。また、報知部１１１は、時計装置１を振動させる振動部であってもよい。
電池１１２は時計装置１の各部に駆動電力を供給する。
【００３４】
次に、本実施形態におけるＣＰＵ１０８（報知制御装置）の動作について説明する。図３は本実施形態における報知制御装置１の動作の例を示したフローチャートである。
【００３５】
（ステップＳ１０１）ＣＰＵ１０８は、タイマー１０５に日焼け防止対策時間（第１の時間）の値を設定する。ＣＰＵ１０８は、スタートトリガ信号をタイマー１０５に出力する。これにより、タイマー１０５は、予め設定された日焼け防止対策時間の計測を開始する。その後、ステップＳ１０２に進む。なお、日焼け防止対策時間（例えば、１時間）は、予めＲＯＭ１０９に記録されたプログラム内にて指定されたものを利用してもよいし、利用者が入力部１０３から入力し、ＣＰＵ１０８がそれをＲＡＭ１１０に記録したものを利用してもよい。
【００３６】
（ステップＳ１０２）ＣＰＵ１０８は、タイマー１０５の出力がハイ（Ｈ）であるか否かを判定することにより、ステップＳ１０１で計測を開始した日焼け防止対策時間が経過したか否かを判定する。日焼け防止対策時間が経過したと判定した場合（Ｙｅｓ）には、ステップＳ１０３に進む。一方、日焼け防止対策時間が経過していないと判定した場合（Ｎｏ）には、ステップＳ１０２の処理に戻る。
（ステップＳ１０３）ＣＰＵ１０８は、日焼け予防処理を促す旨の報知を行うように報知部１１１に出力し、報知部１１１は、ＣＰＵ１０８からの入力を受けて日焼け予防処理を促す旨の報知を行う。その後ステップＳ１０４に進む。
（ステップＳ１０４）ＣＰＵ１０８は、タイマー１０５にケア時間（第２の時間）の値を設定する。ＣＰＵ１０８は、スタートトリガ信号をタイマー１０５に出力する。これにより、予め設定されたケア時間の計測を開始する。その後、ステップＳ１０５に進む。なお、ケア時間（例えば、３０分）は、利用者が、日焼け防止処置に費やす時間である。ケア時間は、予めＲＯＭ１０９に記録されたプログラム内にて指定されたものを利用してもよいし、利用者が入力部１０３から入力し、ＣＰＵ１０８がそれをＲＡＭ１１０に記録したものを利用してもよい。
【００３７】
（ステップＳ１０５）入力部１０３は、スイッチ１０３２が押下されたか否かを判定する。入力部１０３は、スイッチ１０３２が押下されたと判定されたときは、ＣＰＵ１０８に信号（ケア終了信号という）を出力し、スイッチ１０３２が押下されたと判定されなかったときは、ケア終了信号を出力しない。ケア終了信号の入力がある場合（Ｙｅｓ）には、ステップＳ１０１の処理に戻り、ケア終了信号の入力がない場合（Ｎｏ）には、ステップＳ１０６の処理に進む。
（ステップＳ１０６）ＣＰＵ１０８は、タイマー１０５の出力がハイ（Ｈ）であるか否かを判定することにより、ステップＳ１０４で計測を開始したケア時間が経過したか否かを判定する。ケア時間が経過したと判定した場合（Ｙｅｓ）には、ステップＳ１０７に進む。一方、ケア時間が経過していないと判定した場合（Ｎｏ）には、ステップＳ１０５の処理に戻る。
【００３８】
（ステップＳ１０７）ＣＰＵ１０８は、ケア時間が経過した旨の報知を行うよう報知部１１１に出力し、報知部１１１は、ＣＰＵ１０８からの入力を受けてケア時間が経過した旨の報知を行う。その後ステップＳ１０４の処理に進む。
（ステップＳ１０８）ＣＰＵ１０８は、タイマー１０５に再警告時間（第３の時間）の値を設定する。ＣＰＵ１０８は、スタートトリガ信号をタイマー１０５に出力する。これにより、タイマー１０５は予め設定された再警告時間の計測を開始する。
（ステップＳ１０９）入力部１０３は、スイッチ１０３２が押下されたか否かを判定する。入力部１０３は、スイッチ１０３２が押下されたと判定されたときは、ＣＰＵ１０８に信号（ケア終了信号という）を出力し、スイッチ１０３２が押下されたと判定されなかったときは、ケア終了信号を出力しない。ケア終了信号の入力がある場合（Ｙｅｓ）には、ステップＳ１０１の処理に戻り、ケア終了信号の入力がない場合（Ｎｏ）には、ステップＳ１１０の処理に進む。
【００３９】
（ステップＳ１１０）ＣＰＵ１０８は、タイマー１０５の出力がハイ（Ｈ）であるか否かを判定することにより、ステップＳ１０８で開始した再警告時間が経過したか否かを判定する。再警告時間が経過したと判定した場合（Ｙｅｓ）には、ステップＳ１０７に進む。一方、再警告時間が経過していないと判定した場合（Ｎｏ）には、ステップＳ１０９の処理に戻る。
【００４０】
図３の動作により、時計装置１は、以下のように利用される。
利用者は、時計装置１に、日焼け防止対策時間の計測の開始の入力を行う。時計装置１は、予め定められた日焼け防止対策時間を設定し、計測を行う。時計装置１は日焼け防止対策時間が経過した時に、その旨を報知部１１１より報知する。それと同時に時計装置１は、ケア時間の計測を開始し、計測を行う。時計装置１はケア時間が経過した時に、ケア時間が経過した旨を報知部１１１より報知する。
【００４１】
利用者は、日焼け予防処理が終了した場合には、スイッチ１０３２を押下する。入力部１０３からケア終了信号の入力があった場合には、時計装置１はタイマー１０５に日焼け防止対策時間を設定し、直ちに新たな日焼け防止対策時間の計測を開始する。
日焼け防止対策時間とケア時間の合計時間は、予め定めた日焼けの予防処置の効果が失われる時間と、ケア時間は、日焼けの予防処置に費やされる時間となるように設定される。
なお、利用者が再警告時間内にケアを終了した場合には、ＣＰＵ１０８は直ちに日焼け防止対策時間を再開し、また入力部１０３に入力がない場合は再警告時間の経過を待ってケア時間が経過した旨を報知部１１１より再度報知し、利用者が日焼け予防処理を終了するまで報知部１１１よりケア時間の経過の旨の再報知を繰り返す。
【００４２】
以上のように、本実施形態によれば、ＣＰＵ１０８は、日焼け防止対策時間の経過後に日焼けの予防処置を促す報知を行い、日焼けの予防処置を促す報知からケア時間の経過後に、ケア時間が経過した旨の報知を行う制御をする。すなわち、時計装置１は、日焼け防止対策時間の経過後に日焼けの予防処置を促す報知を行い、ケア時間の経過後に、ケア時間の経過の旨の報知を行う。
これにより、本実施形態では、時計装置１は、予め日焼け止めクリームや紫外線の透過量を減らした化粧品が剥落すると予測される時間を設定して、その時間（日焼け防止対策時間）が経過した場合に報知し、ケア時間の経過後にケア時間経過の旨の報知を行う。クリーム等の剥落は時間に依存するため、時計装置１は、クリームの剥落を利用者に報知でき、利用者の日焼けを防止できる。
【００４３】
また、本実施形態によれば、ＣＰＵ１０８は、ケア時間の経過前に日焼け予防処理が終わったことを示す入力があった場合には、タイマー１０５に日焼け防止対策時間の計時を開始させる。これにより本実施形態では、時計装置１は、日焼け予防処理の終了後に直ちに日焼け防止対策時間の計測を開始するため、次の日焼け防止対策時間を正確に計測できる。
【００４４】
また、本実施形態によれば、日焼け防止対策時間とケア時間の合計時間は、予め定めた日焼けの予防処置の効果が失われる時間であって、ケア時間は、日焼けの予防処置に費やされる時間とする。これにより、時計装置１は、日焼け予防処置に費やす時間を考慮に入れた日焼け防止対策時間を報知する。よって、利用者は、より確実な日焼け予防対策を行うことができる。
【００４５】
（第２の実施形態）
以下、本発明の第２の実施形態について、図面を参照しながら説明する。本実施形態の時計装置（時計装置２という）の構成は、ＣＰＵ１０８の動作を除いて、第１の実施形態における時計装置１の外観（図１）及び構成（図２）と同様である。従って、ＣＰＵ１０８以外の説明は省略する。
【００４６】
本実施形態では、時計装置２は、日時計測部１０４から現在の時刻を取得し、その時刻が予め設定された時間範囲、例えば午前８時から午後８時までの間であれば紫外線の強度の測定を開始し、その時間範囲に含まれない時刻であれば紫外線の強度の測定を行わない。また、時計装置２は、紫外線センサー１０１が強度を測定し、Ａ／Ｄ変換部１０２が紫外線の強度を出力する。ＣＰＵ１０８は、Ａ／Ｄ変換部１０２が出力した紫外線の強度の測定値が、予め設定された閾値未満であれば、予め設定した紫外線再測定時間（第４の時間）の経過後に再度紫外線の強度の測定を行うか否かを判断する。また、ＣＰＵ１０８は、請求項１で示された日焼け予防処理を促す旨の報知をおよびケア時間が経過した旨の報知を予め設定された時間範囲内に限り繰り返し行う。
【００４７】
次に、本実施形態におけるＣＰＵ１０８（報知制御装置）の動作について説明する。図４は本実施形態における時計装置２の動作の例を示したフローチャートである。なお、ステップＳ１０３〜ステップＳ１１０の各処理は、第１の実施形態（図３）のステップＳ１０３〜ステップＳ１１０の各処理と基本的に同じであるので、説明は省略する。ただし、第１の実施形態（図３）とは、ステップＳ１０５における判定の結果（Ｙｅｓ）である場合にステップＳ２０４に進む点、及びステップＳ１０９における判定の結果が（Ｙｅｓ）である場合にステップＳ２０４に進む点が異なる。
【００４８】
（ステップＳ２０１）ＣＰＵ１０８は、日時計測部１０４から取得した現在の時刻が、予め設定した時間範囲内であるか否かを判断する。予め設定した時間範囲内の時刻は、利用者が外出している時刻であり、例えば、午前８時から午後８時である。予め設定した時間範囲内の場合（Ｙｅｓ）には、ステップ２０２の処理へ進む。一方、予め設定した時間範囲外の場合（Ｎｏ）には、ステップＳ２０１の処理へ戻る。なお、予め設定した時間範囲は、予めＲＯＭ１０９に記録されたプログラム内にて指定されたものを利用してもよいし、利用者が入力部１０３から入力し、ＣＰＵ１０８がそれをＲＡＭ１１０に記録したものを利用してもよい。
（ステップＳ２０２）ＣＰＵ１０８（紫外線検出制御部）は、紫外線センサー１０１及びＡ／Ｄ変換部１０２を起動する。紫外線センサー１０１は、紫外線の強度を測定し、測定した強度を示す値をＡ／Ｄ変換部１０２に出力する。Ａ／Ｄ変換部１０２は、紫外線センサー１０１から入力された値をデジタル信号化する。なお、紫外線センサー１０１及びＡ／Ｄ変換部１０２は、ＣＰＵ１０８から起動されたときに、ステップＳ２０２の上記処理を行う間だけ、電源をＯｎとされ、それ以外では電源をＯｆｆとされる。これにより時計装置２では、紫外線センサー１０１及びＡ／Ｄ変換部１０２の消費電力を削減できる。その後、ＣＰＵ１０８は、タイマー１０５に紫外線再測定時間の値を設定する。ＣＰＵ１０８は、スタートトリガ信号をタイマー１０５に出力する。これにより、タイマー１０５は、予め設定された紫外線再測定時間の計測を開始する。その後ステップＳ２０３の処理へ進む。
【００４９】
（ステップＳ２０３）ＣＰＵ１０８は、Ａ／Ｄ変換部１０２から紫外線の強度を示すデジタル信号を取得し、ＲＯＭ１０９に記録された紫外線の強度の閾値と比較する。現在の紫外線の強度が、ＲＯＭ１０９に記録された紫外線の強度の閾値以上である場合（Ｙｅｓ）には、ステップＳ１０３の処理へ進む。一方、現在の紫外線の強度が、ＲＯＭ１０９に記録された紫外線の強度の閾値未満である場合（Ｎｏ）には、ステップＳ２０６の処理へ進む。
【００５０】
（ステップＳ２０４）ＣＰＵ１０８は、タイマー１０５に日焼け防止対策時間の値を設定する。ＣＰＵ１０８は、スタートトリガ信号をタイマー１０５に出力する。これにより、予め設定された日焼け防止対策時間の計測を開始する。その後、ステップＳ２１３に進む。なお、日焼け防止対策時間は、予めＲＯＭ１０９に記録されたプログラム内にて指定されたものを利用してもよいし、利用者が入力部１０３から入力し、ＣＰＵ１０８がそれをＲＡＭ１１０に記録したものを利用してもよい。
（ステップＳ２０５）ＣＰＵ１０８は、タイマー１０５の出力がハイ（Ｈ）であるか否かを判定することにより、ステップＳ２０４で開始した日焼け防止対策時間が経過したか否かを判定する。日焼け防止対策時間が経過したと判定した場合（Ｙｅｓ）には、ステップＳ２０１に戻る。一方、日焼け防止対策時間が経過していないと判定した場合（Ｎｏ）には、ステップＳ２０５の処理に戻る。
（ステップＳ２０６）ＣＰＵ１０８は、ステップＳ２０２で計測を開始した紫外線再測定時間が経過したか否かを判定する。紫外線再測定時間が経過したと判定した場合（Ｙｅｓ）には、ステップＳ２０１に進む。一方、紫外線再測定時間が経過していないと判定した場合（Ｎｏ）には、ステップＳ２０６の処理に戻る。  
【００５１】
図４の動作により、時計装置２は以下のように利用される。
時計装置２は、日時計測部が示す時刻が予め定めた範囲内にあるときに、紫外線検出制御部に紫外線強度を測定させ、その値が予め定めた閾値以上である場合に、日焼け予防処理を促す旨の報知をする。予め定めた時間の範囲とは利用者が外出する時刻であってもよい。また、紫外線の強度が一定値以下の場合は報知を行わずに、再警告時間の経過ごとに紫外線の強度の測定を繰り返す。
【００５２】
以上のように、本実施形態によれば、ＣＰＵ１０８は、日時計測部１０４が示す時刻が予め定めた範囲内にあるときに、紫外線センサー１０１に紫外線強度を測定させる。ＣＰＵ１０８は、紫外線センサー１０１が測定した強度が閾値以上である場合に、日焼けの予防処置を促す旨の報知を行う制御を行う。すなわち、紫外線センサー１０１は、日時計測部１０４が示す時刻が予め定めた範囲内にあるときに、紫外線強度を測定する。
これにより、本実施形態では、時計装置２は、外出している時間帯にのみ、紫外線の検出を試み、紫外線の強度が予め定めた閾値以上である場合に、日焼けの予防処置を促し、日焼けを防止できる。それ以外の時間は日焼け予防処置を促すことがなく、さらに、紫外線の強度が閾値に達しない場合は日焼けの予防処置を促す報知を行わない。したがって、時計装置２は、電池の消費を抑えることができると共に、屋内にいる間は報知しない。
【００５３】
また、本実施形態によれば、前記予め定めた範囲内の時刻は、利用者が外出する時刻である。これにより、利用者が外出している時間に確実に日焼けの予防処置を促す報知を行うことができる。
【００５４】
（第３の実施形態）
以下、本発明の第３の実施形態について、図面を参照しながら説明する。本実施形態の時計装置（時計装置３という）の構成は、第２の実施形態と同様の構成である。
【００５５】
本実施形態の時計装置３は、日時計測部１０４から現在の時刻を取得し、その時刻が予め入力部１０３を用いて設定した日焼け防止対策時間の開始時刻、例えば午前８時、になったら日焼け予防処理を促す旨を報知し、その後日焼け防止対策時間を開始することである。予め設定した時刻とは外出する時刻でもよい。
【００５６】
次に、本実施形態におけるＣＰＵ１０８（報知制御装置）の動作について説明する。図５は本実施形態における時計装置１の動作の例を示したフローチャートである。なお、ステップＳ１０１〜ステップＳ１１０の各処理は、第１の実施形態（図３）のステップＳ１０１〜ステップＳ１１０の各処理と基本的に同じであるので、説明は省略する。ただし、第1の実施形態（図３）とは、ステップＳ１０５における判定の結果（Ｙｅｓ）である場合にステップＳ１０１に進む点、及びステップＳ１０９における判定の結果が（Ｙｅｓ）である場合にステップＳ１０１に進む点が異なる。
【００５７】
（ステップＳ３０１）ＣＰＵ１０８は、日時計測部１０４から現在の時刻を取得し、予め指定した日焼け防止対策時間の開始時刻が到来したか否かを判断する。日焼け防止対策時間の開始時刻が到来している場合（Ｙｅｓ）には、ステップ３０２の処理へ進む。一方、日焼け防止対策時間の開始時刻が到来していない場合（Ｎｏ）には、ステップＳ３０１の処理へ戻る。
【００５８】
（ステップＳ３０２）ＣＰＵ１０８は、日焼け予防処理を促す旨の報知を行うよう報知部１１１に命令し、報知部１１１はＣＰＵ１０８からの命令を受けて日焼け予防処理を促す旨の報知を行う。その後ステップＳ１０１に進む。
【００５９】
図５の動作により、時計装置３は以下のように利用される。
時計装置３は、予め設定した開始時刻が到来した時に日焼け予防処理を促す旨の報知を行い、その後、第１の実施形態と同様の動作をする。
【００６０】
以上のように、本実施形態によれば、ＣＰＵ１０８は、指定された開始時刻に日焼けの予防処置を促す報知を行う制御をし、日焼けの予防処置を促す報知の後に、タイマー１０５は、日焼け防止対策時間の計測を開始する。
これにより、時計装置３は、毎日決まった時刻に日焼け防止対策を促す。例えば、外出する時刻を開始時刻に設定すれば、時計装置３は、外出する際に日焼け防止対策を促すため、忘れずに日焼けを防止できる。
【００６１】
（第４の実施形態）
以下、本発明の第４の実施形態について、図面を参照しながら説明する。本実施形態の時計装置（時計装置４という）の構成は、第２の実施形態における時計装置２の構成と同様の構成である。
【００６２】
利用者が現在屋外に居るか否かを示す情報を入力部１０３が検知し、ＣＰＵ１０８が、屋内に入ったと判定したときに、日時計測部１０４から現在時刻を取得し、ＲＡＭ１１０にその時刻を記録する。その後、利用者が屋外に出たこと入力部１０３が検知し、ＣＰＵ１０８が、利用者が屋外に出たと判定したときに、ＣＰＵ１０８は、日時計測部１０４から現在時刻を取得し、ＲＡＭ１１１に記録された前記時刻と現在時刻との差を求め、屋内滞在時間（第四の時間）とする。
【００６３】
ＣＰＵ１０８は、屋内滞在時間が日焼け防止対策時間よりも長いと判定した場合は、報知部１１１を用いて日焼け予防処理を促す旨を報知する。また、ＣＰＵ１０８は、屋内滞在時間が日焼け防止対策時間よりも短いと判定した場合であっても、なおかつ前回の日焼け防止対策を行った時刻からの経過時間が日焼け防止対策時間よりも長いと判定した場合、日焼け予防処理を促す旨を報知する。なお、利用者が現在屋外に居るか否か示す情報は、利用者がスイッチ１０３３を用いて入力しても、紫外線センサー１０１が検知し、Ａ／Ｄ変換部１０２がアナログ−デジタル変換した信号を用いてもよい。
【００６４】
次に、本実施形態における時計装置４の動作について説明する。図６は本実施形態における時計装置４の開始処理の動作の例を示したフローチャートである。
【００６５】
（ステップＳ６０１）ＣＰＵ１０８は、タイマー１０５に日焼け防止対策時間の値を設定する。ＣＰＵ１０８は、スタートトリガ信号をタイマー１０５に出力する。これにより、予め設定された日焼け防止対策時間の計測を開始する。その後、ステップＳ６０２に進む。なお、日焼け防止対策時間は、予めＲＯＭ１０９に記録されたプログラム内にて設定されたものを利用してもよいし、利用者が入力部１０３から入力し、ＣＰＵ１０８がそれをＲＡＭ１１０に記録に記録したものを利用してもよい。
（ステップＳ６０２）ＣＰＵ１０８は、入力部１０３からの入力を監視し、屋内に入った事を検知した場合（Ｙｅｓ）には、ステップＳ６０３の処理に進み、屋内に入った事を検知しなかった場合（Ｎｏ）には、ステップＳ６０２の処理に戻る。
（ステップＳ６０３）図７の屋内処理の開始に進む。
【００６６】
図７は本実施形態における時計装置４の動作の例を示したフローチャートである。なお、ステップＳ１０３〜ステップＳ１１０の各処理は、第１の実施形態（図３）のステップＳ１０３〜ステップＳ１１０の各処理と基本的に同じであるので、説明は省略する。ただし、第１の実施形態（図３）とは、ステップＳ１０５における判定の結果（Ｙｅｓ）である場合にＥｎｄ（図８の屋外処理開始）に進む点、及びステップＳ１０９における判定の結果が（Ｙｅｓ）である場合にＥｎｄ（図８の屋外処理開始）に進む点が異なる。
【００６７】
（ステップＳ７０１）ＣＰＵ１０８は、日時計測部１０４から現在の時刻（入室時刻という）を入力し、ＲＡＭ１１０に記録する。
（ステップＳ７０２）ＣＰＵ１０８は、入力部１０３からの入力を監視し、屋外に出た事を示す入力があった場合（Ｙｅｓ）には、ステップＳ７０３の処理に進み、屋外に出た事を示す入力がなかった場合（Ｎｏ）には、ステップＳ７０２の処理へ戻る。
【００６８】
（ステップＳ７０３）ＣＰＵ１０８は、日時計測部１０４から現在の時刻を取得し、ステップＳ７０１でＲＡＭ１１１に記録された、入室時刻との時間差を計算する。屋内滞在時間が日焼け対策時間よりも長い場合（Ｙｅｓ）には、ステップＳ１０３の処理へ進む。一方、屋内滞在時間が日焼け防止対策時間よりも長くない場合（Ｎｏ）には、ステップＳ７０４の処理へ進む。
（ステップＳ７０４）ＣＰＵ１０８は、タイマー１０５の出力がハイ（Ｈ）であるか否かを判定することにより、図６のステップＳ６０１で開始した日焼け防止対策時間が経過したか否かを判定する。日焼け防止対策時間が経過したと判定した場合（Ｙｅｓ）には、ステップＳ１０３に進む。一方、日焼け防止対策時間が経過していないと判定した場合（Ｎｏ）には、ステップＳ７０４の処理に戻る。
【００６９】
図８は本実施形態における時計装置４の動作の例を示したフローチャートである。なお、ステップＳ１０１〜ステップＳ１１０の各処理は、第１の実施形態（図３）のステップＳ１０１〜ステップＳ１１０の各処理と基本的に同じであるので、説明は省略する。ただし、第１の実施形態（図３）とは、ステップＳ１０５における判定の結果（Ｙｅｓ）である場合にＥｎｄに進む点、及びステップＳ１０９における判定の結果が（Ｙｅｓ）である場合にＥｎｄに進む点が異なる。
【００７０】
図６、７、８の動作により、時計装置４は、以下のように利用される。
時計装置４は、利用者が、日が当たる場所に出た場合に、日が当たらない場所に入ったときからの経過時間を計算し、日が当たらない場所に入ったときからの経過時間が日焼け防止対策時間より長い場合には、日焼け予防処理を促す旨の報知を行う。一方、日が当たらない場所に入ったときからの経過時間が日焼け防止対策時間より長くない場合は、前回の日焼け防止対策を行った時刻からの経過時間が日焼け防止対策時間より長くなるまで待って、日焼け予防処理を促す旨の報知を行う。
【００７１】
以上のように、本実施形態によれば、入力部１０３は、日が当たる場所に出たことを示す入力と、日が当たらない場所に入ったことを示す入力があったことを受け付ける。ＣＰＵ１０８は、入力部１０３が、日が当たる場所に出たことを示す入力を受け付けたときに、入力部１０３が、日が当たらない場所に入ったことを示す入力を受けたときからの経過時間が日焼け防止対策時間以上であるか判断する。ＣＰＵ１０８は、入力部１０３が、日が当たらない場所に入ったことを示す入力を受けたときからの経過時間が日焼け防止対策時間以上であると判断した場合は、報知部１１１に、日焼けの予防処置を促す報知を行わせる。
これにより、本実施形態では、時計装置４は、日が当たらない場所に滞在している間は日焼け防止対策時間が経過しようとも、日焼け防止対策を促さない。また、時計装置４は、その後で日が当たる場所に出たときに、日焼け予防措置が必要な時間が経過しているときその旨を報知する。
【００７２】
なお、時計装置１〜４は、上述した実施形態１〜４において、予めＲＯＭ１０９内に、日付ごとの紫外線の強度や発汗量等を考慮した日焼け防止対策時間を算出し、記録させておいてもよい。また、ＣＰＵ１０８は、図９の日焼け防止対策時間のテーブルを用いて、日付に応じて日焼け防止対策時間を変化させてもよい。
図９は、上記各実施形態における日焼け防止対策時間テーブルの一例を示す概略図である。この図において、日焼け防止対策時間テーブルは、日付、及び係数の各項目の列を有している。ここで、係数は、ＣＰＵ１０８が日焼け防止対策時間に乗ずる係数である。
【００７３】
例えば、図９では、日付が「６月１日〜６月１９日」及び「７月２０日〜８月３１日」である場合に、係数が「１００％」である。また例えば、図９では、日付が「６月２０日〜７月１９日」である場合には、係数が「８０％」である。ここで、「６月２０日〜７月１９日」の係数（８０％）は、他の日付での係数と比較して値を小さくしている。つまり、時計装置１〜４では「６月２０日〜７月１９日」には、他の期間と比較して、日焼け防止対策時間が短くなる。これにより、「６月２０日〜７月１９日」、つまり、梅雨の期間における日焼け防止対策時間を短くすることができる。したがって、時計装置１〜４では、湿度が高く、日焼け防止クリームの剥落が早い梅雨の期間には、それに応じて短い間隔で日焼け防止対策時間が経過した旨の報知をすることができる。同様に、図９では、日付が「１月１日〜３月３１日」である場合には、係数が「１３０％」である。ここで、「１月１日〜３月３１日」の係数（１３０％）は、他の日付での係数と比較して値を大きくしている。つまり、時計装置１〜４では「１月１日〜３月３１日」には、他の期間と比較して、日焼け防止対策時間が長くなる。したがって、時計装置１〜４では湿度が低く、日焼け防止クリームの剥落が遅い期間には、それに応じて長い間隔で日焼け防止対策時間が経過した旨の報知をすることができる。
【００７４】
本テーブルは、７月２０日から８月３１日の日焼け対策防止時間（例えば、１時間）を基準として、各日付に対する日焼け防止対策時間を求めるための係数を示したものである。例えば、６月２０日から７月２０日の梅雨の期間の係数が８０％とは、湿度が高いため、日焼け防止クリームの剥落が早くなることを鑑みて、日焼け防止対策時間を基準の８０％（４８分）とすることを意味する。また１月１日から３月３１日の冬の期間は発汗が少ないため、日焼け防止クリームの剥落が基準より遅くなることを鑑みて、基準の１３０％（７８分）とすることを意味する。
【００７５】
（第５の実施形態）
以下、本発明の第５の実施形態について、図面を参照しながら説明する。本実施形態の時計装置（時計装置５という）の構成は、第２の実施形態における時計装置２の構成と同様の構成を備える。
【００７６】
ここで、図２を参照して時計装置５の構成について説明する。
ＣＰＵ１０８は、タイマー１０５からハイ（Ｈ）を示す信号を入力された後、Ａ／Ｄ変換部１０２から変換後のデジタル信号を入力される。このタイマーから入力された信号は、上述のように日焼け防止対策時間が経過したことを示す。Ａ／Ｄ変換部１０２から入力されたデジタル信号は、紫外線センサー１０１が測定した紫外線強度を示す。
ＣＰＵ１０８は、入力されたデジタル信号が示す紫外線強度が、予め設定された紫外線強度の閾値以上か否かを判断する。ＣＰＵ１０８は、入力されたデジタル信号が示す紫外線強度が、予め設定された紫外線強度の閾値以上と判断した場合、音響を用いることを示す信号を報知部１１１に出力する。ＣＰＵ１０８は、入力されたデジタル信号が示す紫外線強度が、予め設定された紫外線強度の閾値よりも小さいと判断した場合、画像を用いることを示す信号を報知部１１１に出力する。このように、ＣＰＵ１０８は、紫外線強度が強いほど、利用者に対して日焼け予防処理を行うことをより効果的に促すことを示す信号を報知部１１１に出力する。
【００７７】
本実施形態では、ＣＰＵ１０８は、入力されたデジタル信号が示す紫外線強度が、予め設定された紫外線強度の閾値以上か否かを判断する代わりに、紫外線積算量が、予め設定された紫外線積算量の閾値以上か否かを判断するようにしてもよい。ＣＰＵ１０８は、紫外線積算量を計測するために、日焼け防止対策時間の計測開始から到来までのＡ／Ｄ変換部１０２から入力されたデジタル信号が表す紫外線強度を積分する。その後、ＣＰＵ１０８は、測定したデジタル信号が示す紫外線積算量が、予め設定された紫外線積算量の閾値以上か否かを判断して、報知部１１１に出力する信号として音響を用いることを示す信号又は画像を用いることを示す信号を定める。
【００７８】
本実施形態では、ＣＰＵ１０８は、計測した紫外線積算量に基づいて紫外線積算量を計測する日焼け防止対策時間を定めてもよい。例えば、ＣＰＵ１０８は、計測した紫外線積算量が予め設定された紫外線積算量の閾値以上か否かを判断する。ＣＰＵ１０８は、計測した紫外線積算量が予め設定された紫外線積算量の閾値以上と判断したとき、第１の日焼け防止対策時間を選択する。ＣＰＵ１０８は、計測した紫外線積算量が予め設定された紫外線積算量の閾値よりも小さいと判断したとき、第２の日焼け防止対策時間を選択する。ＣＰＵ１０８は、選択した日焼け防止対策時間に到達するまで、前述の紫外線強度を積分して紫外線積分量を計測する。なお、第１の日焼け防止対策時間よりも第２の日焼け防止対策時間は小さくする。
【００７９】
報知部１１１は、日焼け予防処理を促す旨の報知を行う手段を複数個備える。例えば、報知部１１１は、音響を用いて報知を行う音響再生部と、画像を用いて報知を行う画面表示部を備える。報知部１１１は、音響再生部は、例えば、ブザー音、などの警告音を再生する。画面表示部は、例えば、日焼け予防処理を促す旨の文字、又は絵文字を表示する。
具体的には、報知部１１１は、ＣＰＵ１０８から音響を用いることを示す信号を入力された場合、音響再生部は、日焼け予防処理を促す音を出力する。報知部１１１は、ＣＰＵ１０８から画像を用いることを示す信号を入力された場合、画面表示部は、日焼け予防処理を促す画像を表示する。なお、報知部１１１は、画像表示部及び音声再生部に限らず、その他の形態により日焼け予防処理を促す旨の報知を行う構成（例えば、バイブレータ）を備えていればよい。
【００８０】
次に、本実施形態における時計装置５の動作の一例について説明する。
図１０は、本実施形態における時計装置５の動作の一例を示すフローチャートである。但し、図１０に示す時計装置の動作の例は、ステップＳ１０３の代わりにステップＳ１００１〜Ｓ１００４を備え、ステップＳ１０２の後にステップＳ１００１を行う点、ステップＳ１００３又はステップＳ１００４の後にステップＳ１０４を行う点で、図３に示す動作の例と異なる。その他のステップは、図３に示す動作の例と同様である。以下、ステップＳ１００１〜Ｓ１００４について説明する。
【００８１】
（ステップＳ１００１）ＣＰＵ１０８（報知制御装置）は、Ａ／Ｄ変換部１０２から変換後のデジタル信号を入力される。この入力されたデジタル信号は、紫外線センサー１０１が測定した紫外線強度を示す。その後、ステップＳ１００２に進む。
（ステップＳ１００２）ＣＰＵ１０８は、入力されたデジタル信号が示す紫外線強度が、予め設定された紫外線強度の閾値以上か否かを判断する。ＣＰＵ１０８は、入力されたデジタル信号が示す紫外線強度が、予め設定された紫外線強度の閾値以上（Ｙｅｓ）と判断した場合、音響を用いることを示す信号を報知部１１１に出力し、ステップＳ１００３に進む。ＣＰＵ１０８は、入力されたデジタル信号が示す紫外線強度が、予め設定された紫外線強度の閾値よりも小さい（Ｎｏ）と判断した場合、画像を用いることを示す信号を報知部１１１に出力し、ステップＳ１００４に進む。
【００８２】
（ステップＳ１００３）報知部１１１は、ＣＰＵ１０８から音響を用いることを示す信号を入力された場合、音響再生部は、日焼け予防処理を促す音を出力する。その後、ステップＳ１０４に進む。
（ステップＳ１００４）報知部１１１は、ＣＰＵ１０８から画像を用いることを示す信号を入力された場合、画面表示部は、日焼け予防処理を促す画像を表示する。
その後、ステップＳ１０４に進む。
【００８３】
次に、本実施形態における時計装置５の動作の他の例について説明する。
図１１は、本実施形態における時計装置５の動作の他の例を示すフローチャートである。但し、図１１に示す例は、ステップＳ１００１及びステップＳ１００２の代わりにステップＳ１１０１及びステップＳ１１０２を備え、ステップＳ１０１の後にステップＳ１１０１を行う点、ステップＳ１１０１の後にステップＳ１０２を行う点、ステップＳ１０２の後にステップＳ１１０２を行う点が、図１０に示す動作の例と異なる。その他のステップは、図１０に示す動作の例と同様である。以下、ステップＳ１１０１及びＳ１１０２について説明する。
【００８４】
（ステップＳ１１０１）ＣＰＵ１０８（報知制御装置）は、日焼け防止対策時間の計測開始から到来までのＡ／Ｄ変換部１０２から入力されたデジタル信号が表す紫外線強度を積分して紫外線積算量を計測する。その後、ステップＳ１０２に進む。
（ステップＳ１１０２）ＣＰＵ１０８は、計測した紫外線積算量が、予め設定された紫外線積算量の閾値以上か否かを判断する。ＣＰＵ１０８は、入力されたデジタル信号が示す紫外線積算量が、予め設定された紫外線積算量の閾値以上（Ｙｅｓ）と判断した場合、音響を用いることを示す信号を報知部１１１に出力し、ステップＳ１００３に進む。ＣＰＵ１０８は、入力されたデジタル信号が示す紫外線積算量が、予め設定された紫外線積算量の閾値よりも小さい（Ｎｏ）と判断した場合、画像を用いることを示す信号を報知部１１１に出力し、ステップＳ１００４に進む。
【００８５】
これにより、本実施形態では時計装置５は、紫外線強度又は紫外線積算量に応じた形態で日焼け防止対策を促す情報を利用者に提示することができる。また時計装置５は、紫外線強度が強いほど、又は紫外線積算量が大きいほど、利用者がより気づきやすい形態で日焼け防止対策を促す情報を利用者に提示することができる。
【００８６】
次に、本実施形態における時計装置５の動作の他の例について説明する。
図１２は、本実施形態における時計装置５の動作の他の例を示すフローチャートである。但し、図１２に示す例は、ステップＳ１００３及びステップＳ１００４の代わりにステップＳ１２０３及びステップＳ１２０４を備え、ステップＳ１０１、ステップＳ１２０３（Ｎｏ）、ステップＳ１２０４（Ｎｏ）の後にステップＳ１１０１を行う点、ステップＳ１１０１の後にステップＳ１１０２を行う点、ステップＳ１１０２の後にステップＳ１２０３又はステップＳ１２０４を行う点が、図１１に示す動作の例と異なる。その他のステップは、図１１に示す動作の例と同様である。以下、ステップＳ１１０２、ステップＳ１２０３及びＳ１２０４について説明する。
【００８７】
（ステップＳ１１０２）ＣＰＵ１０８（報知制御装置）は、計測した紫外線積算量が、予め設定された紫外線積算量の閾値以上か否かを判断する。ＣＰＵ１０８は、入力されたデジタル信号が示す紫外線積算量が、予め設定された紫外線積算量の閾値以上（Ｙｅｓ）と判断した場合、ステップＳ１２０４に進む。ＣＰＵ１０８は、入力されたデジタル信号が示す紫外線積算量が、予め設定された紫外線積算量の閾値よりも小さい（Ｎｏ）と判断した場合、ステップＳ１２０３に進む。
【００８８】
（ステップＳ１２０３）ＣＰＵ１０８は、紫外線積算量の計測開始からの時間が第１の日焼け防止対策時間に到達したか否か判断する。ＣＰＵ１０８は、紫外線積算量の計測開始からの時間が第１の日焼け防止対策時間に到達した（Ｙｅｓ）と判断した場合、ステップＳ１０３に進む。ＣＰＵ１０８は、紫外線積算量の計測開始からの時間が第１の日焼け防止対策時間に到達していない（Ｎｏ）と判断した場合、ステップＳ１１０１に進む。
（ステップＳ１２０４）ＣＰＵ１０８は、紫外線積算量の計測開始からの時間が第２の日焼け防止対策時間に到達したか否か判断する。但し、第２の日焼け防止対策時間は、第１の日焼け防止対策時間よりも短い。ＣＰＵ１０８は、紫外線積算量の計測開始からの時間が第２の日焼け防止対策時間に到達した（Ｙｅｓ）と判断した場合、ステップＳ１０３に進む。ＣＰＵ１０８は、紫外線積算量の計測開始からの時間が第２の日焼け防止対策時間に到達していない（Ｎｏ）と判断した場合、ステップＳ１１０１に進む。
【００８９】
これにより、本実施形態では、紫外線積分量が大きいほど紫外線積分量の計測時間を短くすることができるため、利用者により早く日焼け防止対策を促す情報を提示することができる。
【００９０】
（第６の実施形態）
以下、本発明の第６の実施形態について、図面を参照しながら説明する。
図１３は、本実施形態における時計装置（時計装置６という）の構成を示す概略ブロック図である。
【００９１】
時計装置６は、第２の実施形態における時計装置２と同様の構成に加え、加速度センサー１３０１及びＡ／Ｄ変換部１３０２を備える。
加速度センサー１３０１は、利用者による歩行や走行等の動作に起因する加速度を示す加速度信号を生成する。加速度センサー１３０１は、例えば、x, y, z各座標軸方向に沿った加速度信号を生成する３軸加速度センサーである。加速度センサー１３０１は、生成した加速度信号をＡ／Ｄ変換部１３０２に出力する。
Ａ／Ｄ変換部１３０２は加速度センサー１３０１から入力された加速度信号をアナログ−デジタル変換してデジタル加速度信号を生成する。Ａ／Ｄ変換部１３０２は、生成したデジタル加速度信号をＣＰＵ１０８に出力する。
【００９２】
ＣＰＵ１０８は、Ａ／Ｄ変換部１３０２から入力されたデジタル加速度信号に基づいて利用者が活動している活動状態を検出する。利用者の活動とは、例えば歩行、走行、その他、能動的に利用者自身の身体の一部又は全部が動作することをいう。
ＣＰＵ１０８は、活動状態を検出するために、入力されたデジタル加速度信号の強度と周期性を示す指標値を算出する。ＣＰＵ１０８は、算出した指標値が、予め設定された範囲にあると判断したとき、利用者が活動状態であると判断する。
ＣＰＵ１０８は、デジタル加速度信号の強度を示す指標値として例えは短時間平均電力を算出する。短時間平均電力とは、予め設定した時間間隔（例えば、２０ｍｓ）における加速度の二乗値の平均値である。ＣＰＵ１０８は、短時間平均電力を算出することにより、人間の動作において非現実的な、この時間間隔よりも十分短い時間周期の成分を排除して正しく歩行状態を検出することができる。ＣＰＵ１０８は、算出した短時間平均電力が予め設定した電力の上限及び下限の範囲にあるか否かを判断する。これにより、ＣＰＵ１０８は、算出した短時間平均電力が、利用者が活動している状態において現実的な短時間平均電力の範囲（例えば、０．０１−１．０（ｍ／ｓ2）2）にあるか否かを判断することができる。
【００９３】
ＣＰＵ１０８は、デジタル加速度信号の周期性を示す指標値として例えはピッチ周期を算出する。ピッチ周期とは、単位時間当たりの歩数の逆数である。ＣＰＵ１０８は、ピッチ周期を算出するために、例えばデジタル加速度信号の振幅が予め定めた振幅の閾値よりも大きくなった時点から、次にその閾値よりも大きくなった時点までの時間を検出する。ＣＰＵ１０８は、この検出した時間をピッチ周期と定める。ＣＰＵ１０８は、検出したピッチ周期が予め設定したピッチ周期の上限及び下限の範囲にあるか否かを判断する。これにより、ＣＰＵ１０８は、検出したピッチ周期が、利用者が活動している状態において現実的なピッチ周期範囲（例えば、０．５−２．０（ｓ））にあるか否かを判断することができる。
【００９４】
ＣＰＵ１０８は、利用者が活動状態であると判断した場合、予め設定された日焼け防止対策時間に、予め設定された１よりも小さい係数（例えば、０．５）を乗じて短縮した値を、活動状態における日焼け防止対策時間として算出する。ＣＰＵ１０８は、予め設定された日焼け防止対策時間の代わりに算出した日焼け防止対策時間を用いて、例えば図３に示す報知制御に係る動作（ステップＳ１０１−Ｓ１１０）を行う。
【００９５】
次に、本実施形態におけるＣＰＵ１０８（報知制御装置）の動作の一例について説明する。
図１４は、本実施形態におけるＣＰＵ１０８の動作の一例を示すフローチャートである。本実施形態におけるＣＰＵ１０８の動作は、ステップＳ１４０１〜Ｓ１４０５を有し、これらのステップにステップＳ１０１〜Ｓ１１０（報知制御に係る動作）が後続する。
【００９６】
（ステップＳ１４０１）ＣＰＵ１０８は、Ａ／Ｄ変換部１０２から変換後のデジタル信号（紫外線強度）を入力される。その後、ステップＳ１４０２に進む。なお、Ａ／Ｄ変換部１０２は、紫外線センサー１０１から測定された紫外光の強度（紫外線強度）を示すアナログ信号が入力される。
（ステップＳ１４０２）ＣＰＵ１０８は、入力されたデジタル信号が示す紫外線強度が、予め設定された紫外線強度の閾値以上か否かを判断する。ＣＰＵ１０８は、入力されたデジタル信号が示す紫外線強度が、予め設定された紫外線強度の閾値以上（Ｙｅｓ）と判断した場合、ステップＳ１４０３に進む。ＣＰＵ１０８は、入力されたデジタル信号が示す紫外線強度が、予め設定された紫外線強度の閾値よりも小さい（Ｎｏ）と判断した場合、ステップＳ１０１に進む。
【００９７】
（ステップＳ１４０３）ＣＰＵ１０８は、Ａ／Ｄ変換部１３０２から入力されたデジタル加速度信号に基づいて指標値を算出し、算出した指標値が、予め設定された範囲にあるか否かにより、利用者が活動状態であるか否か判断する。その後、ステップＳ１４０４に進む。
（ステップＳ１４０４）ＣＰＵ１０８は、利用者が活動状態である（Ｙｅｓ）と判断したとき、ステップＳ１４０５に進む。ＣＰＵ１０８は、利用者が活動状態でない（Ｎｏ）と判断したとき、ステップＳ１０１に進む。
（ステップＳ１４０５）ＣＰＵ１０８は、予め設定された日焼け防止対策時間に、予め設定された１よりも小さい係数（例えば、０．５）を乗じて短縮した値を、活動状態における日焼け防止対策時間を算出する。その後、ステップＳ１０１に進む。
（ステップＳ１０１−Ｓ１１０）ＣＰＵ１０８は、算出した日焼け対策時間又は予め設定された日焼け対策時間を用いて、図３に示す報知制御に係る動作を行う。その後、動作を終了する。
【００９８】
利用者が活動状態にある場合、発汗又は衣服との摩擦により皮膚の表面を覆う日焼け対策クリーム等の日焼け対策用の剤質が剥落することがある。これにより、本実施形態によれば、利用者が活動している状態を検知し、より短い時間で日焼け防止対策を促す情報を利用者に提示することができる。
【００９９】
本実施形態では、ＣＰＵ１０８は、活動状態の種類（例えば、歩行、走行）毎に異なる、指標値の範囲を設定しておき、入力されたデジタル加速度信号に基づく指標値に基づき活動状態の種類を判定するようにしてもよい。その場合、ＣＰＵ１０８は、より活発な活動状態ほど小さい係数を設定しておき、予め設定した日焼け対策時間に判定した活動状態の種類に応じた係数を乗じて日焼け対策時間を算出してもよい。活発な活動状態とは、例えば、指標値として歩数が多い状態、又は短時間平均電力が大きい状態である。ＣＰＵ１０８は、算出した日焼け対策時間を用いて図３に示す報知制御に係る動作を行う。
これにより、本実施形態によれば、利用者の活動が活発なほど、より短い時間で日焼け防止対策を促す情報を利用者に提示することができる。
【０１００】
なお、上述した各実施形態において、ＲＯＭ１０９又はＲＡＭ１１０に予め、複数の日焼け対策時間の候補値を記憶しておいてもよい。この場合、ＣＰＵ１０８は、ＲＯＭ１０９又はＲＡＭ１１０から候補値を読み出し、読み出した候補値を報知部１１１に出力し、報知部１１１はＣＰＵ１０８から入力された候補値を表示する。また、入力部１０３は、利用者の操作を受け付け、受け付けた操作に伴う表示された候補値の何れかを示す信号をＣＰＵ１０８に出力する。ＣＰＵ１０８は、報知部１１１から入力された信号に対応する候補値を日焼け対策時間として設定し、設定した日焼け対策時間を上述の報知制御に用いる。これにより、利用者毎に適切な日焼け対策時間を選択できるようにすることができる。
【０１０１】
なお、上述した各実施形態における報知制御装置が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１０２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０３】
以上、本発明の第１の実施形態から第４の実施形態まで図面を参照しながら詳しく説明してきたが、具体的な構成は上述のものに限られることはなく、この発明の要旨を逸脱しない範囲内において様々な設計変更等をすることが可能である。
【符号の説明】
【０１０４】
１・・・時計装置、１０１・・・紫外線センサー、１０２・・・A／Ｄ変換部、１０３・・・入力部、１０４・・・日時計測部、１０５・・・タイマー、１０６・・・発振回路、１０７・・・分周回路、１０８・・・ＣＰＵ、１０９・・・ＲＯＭ、１１０・・・ＲＡＭ、１１１・・・報知部、１１２・・・電池、１０３１〜１０３４・・・スイッチ、
１３０１・・・加速度センサー、１３０２・・・Ａ／Ｄ変換部
【図１】
2012078341.tif 000003
【図２】
2012078341.tif 000004
【図３】
2012078341.tif 000005
【図４】
2012078341.tif 000006
【図５】
2012078341.tif 000007
【図６】
2012078341.tif 000008
【図７】
2012078341.tif 000009
【図８】
2012078341.tif 000010
【図９】
2012078341.tif 000011
【図１０】
2012078341.tif 000012
【図１１】
2012078341.tif 000013
【図１２】
2012078341.tif 000014
【図１３】
2012078341.tif 000015
【図１４】
2012078341.tif 000016